(57)【要約】      （修正有）【課題】多数枚の楽譜を横に並べられる折り畳み譜面載置台を提供する。【解決手段】二つの載置台Ｒ、Ｌを設け、それぞれの端側を半回動可能に留め連結し、折り畳み可能とする。細長い板状の支持部材を左右対称に構成された短軸、長軸、回動軸を設け、左右の長軸の片側端部を載置台Ｒの背面の左の端側と載置台Ｌの背面の右の端側にそれぞれ回動自在に留める。載置台Ｒ、Ｌを水平となるまで開き、支持部材を所定の位置に開く。左右の短軸の片側端部に差し込み片を設け、これに相対する載置台Ｒ、Ｌの底面の端側に穿設された孔に挿通して楽譜が載置できるようにし、多数枚の楽譜を横並びに載置して使用する。【選択図】図２
2011128314.tif 000002
【特許請求の範囲】
【請求項１】
楽譜等を載置するために、Ｌ字状の断面形状を有し、楽譜の下縁を支持する背面と底面に形成された長尺からなる右の載置台Ｒと左の載置台Ｌを設け、半回動可能に折り畳み自在に連結し、従来の譜面台に据え置き、かつ、多数枚の楽譜等を横並びに載置するため、細長い板状の支持部材を左右対称に構成するように、それぞれ所定の位置で回動自在に留めて連結された短軸、長軸、回動軸からなる任意数の支持部材を設け、この左右対称の二つの長軸の片側の端側に穴を穿設し、これと載置台Ｒの背面の左の端側と載置台Ｌの背面の右の端側に穴を穿設して回動自在に留めた事を特徴とする折り畳み譜面載置台。
【請求項２】
従来の譜面台等に据え置いた時、二つの載置台と任意数の支持部材の均整をとるために、左右対称の二つの短軸の片側の端部とこれに相対する載置台Ｒの右の端、及び載置台Ｌの左の他端を止着自在に保持する事を特徴とする請求項１の折り畳み譜面載置台。
【請求項３】
載置台Ｒの背面の端と載置台Ｌの背面の他端に穴を穿設して半回動可能に留めて連結し、この二つの載置台が折り畳み可能である事を特徴とする請求項１又は請求項２の折り畳み譜面載置台。
【発明の詳細な説明】
【技術分野】
【０００１】
本発明は、多数枚の楽譜等を横並びに載置する事ができる折り畳み譜面載置台に関するものである 。
【背景技術】
【０００２】
従来、図６に示すような譜面台が知られている。音楽家は種々の楽器を演奏する際に、楽譜を載置するのに、この様な譜面台を使用する。
【０００３】
しかし、従来の譜面台に楽譜を横に並べられる大きさは、３枚程度の縦長でＡ４判またはΒ４判の楽譜が限度であり、音楽家は楽譜の枚数が多い曲を演奏する際は演奏中に何度も楽譜をめくらなければならず、めくる時に誤って楽譜を落としたりしたら演奏が困難になり、楽器の演奏が時折、専念できずにいた。
【０００４】
音楽家は時折、メドレーによる２曲以上の違う曲をつなげて演奏する事を要求される事があり、従来の譜面台を使用して、次の曲の楽譜を入れ替えるのに四苦八苦する。
また、オーケストラのリハーサル等で指揮者は、総譜用の楽譜とパート譜用の楽譜を見比べながら指揮をする場合が多い。  
【０００５】
これらの理由により、多数枚の楽譜を横並びに載置しようとして、演奏家や指揮者は複数の従来の譜面台を横に連結して使用している事がある。
そこで、多数枚の楽譜を横並びに載置する事ができる譜面台として（特許文献１参照と特許文献２参照）が知られている。
【先行技術文献】
【特許文献】
【０００６】
【特許文献１】実用新案登録  第３０５８０２２号公報
【特許文献２】特表  ２００３―５２６１１５号公報
【発明の概要】
【発明が解決しようとする課題】
【０００７】
しかしながら、実用新案登録第３０５８０２２号公報のように開示されている譜面台があるが、多数枚の楽譜を横並びに載置するため、単に楽譜載置部から四方に突出する支持部材を設けただけでは、部品点数が多くなり構造が複雑で、持ち運びや収納する時に取り扱いにくい。
また、これらの譜面台は四方に突出する支持部材の要因で不安定になり易い。それから、２から３枚程度の楽譜を載置する時には楽譜載置部から四方に突出する支持部材を必要とせず、邪魔である。
【０００８】
解決しようとする問題点は、音楽家は楽譜の枚数が多い曲を演奏する場合があり、楽譜をめくる回数を減らすために多数枚の楽譜を横に並べようとして、複数の譜面台を横に連結して使用すると外見上にも仰々しく邪魔になり、床に譜面台をおく場所が狭い時には困窮する。また、音楽家が演奏場所を移る時には、楽器とともに譜面台をいくつも運び再度設置するのは面倒であった。
【０００９】
一方、従来の譜面台を多数枚の楽譜が横並びに載置できるように形状を大きくすると、譜面台自体が不安定になりやすい。また、製品の強度を保つために構造も複雑になり、持ち運びや収納する時にかさばり、取り扱いにくくなる。そのため、従来の譜面台は、２から３枚程度の縦長でＡ４判またはΒ４判の楽譜を横並びに載置できる大きさに限定されている。
したがって、従来の譜面台では安定を保ちながら、より多数枚の楽譜を横並びに載置する事ができない事により、本発明は、以上の問題点を解決するためになされたものである。
【課題を解決するための手段】
【００１０】
本発明は、楽譜等を載置するためにＬ字状の断面形状を有し、楽譜の下縁を支持する背面と底面に形成された長尺からなる二つの載置台Ｒ、Ｌを直線上に並設する。載置台Ｒの背面の左の端側と載置台Ｌの背面の右の端側に穴を穿設してこれを支点Ａとし、半回動可能に留めて連結し、折り畳み可能とする。二つの載置台が折り畳まれた時に、互いの接触を防ぐために載置台Ｌの背面の右の端部に半円形状に形成された突出片を設け、また後記支点Ｂの干渉を回避するため、載置台Ｌの背面右上部の端側に、湾曲に形成された切欠部を設ける。
【００１１】
一方、従来の譜面台に据え置き、かつ、楽譜等を横並びに載置するため、細長い板状の支持部材を左右対称に構成し、それぞれ後記回動自在に留めて連結された短軸、長軸、回動軸を設ける。左右の後記長軸の片側の端側に穴を穿設し、これと載置台Ｒの背面の左の端側と載置台Ｌの背面の右の端側に穴を穿設してこれを支点Ｂとし、回動自在に留める。二つの載置台Ｒ、Ｌを支点Ａで回動させ、直線上に水平となるまで開く。そして、左右対称の支持部材をそれぞれ所定の位置に開き、左右の後記短軸の片側の端部に任意に切り欠いた差し込み片を設け、これに相対する二つの載置台Ｒ、Ｌの背面に近接した底面の端側に設けた孔に挿通し、従来の譜面台に据え置き多数枚の楽譜を横並びに載置して使用する。
以上の構成よりなる折り畳み譜面載置台。
【発明の効果】
【００１２】
本発明の折り畳み譜面載置台は、音楽家による使用に関して説明するが、複数枚の書類、書籍あるいは長尺の巻物等を配向位置に拡げる事を所望する者であれば音楽家に限らず、誰でも使用する事ができるものである。
【００１３】
本発明の折り畳み譜面載置台は、従来の譜面台等に据え置き、多数枚の楽譜を横並びに載置して使用する事ができるものであり、音楽家が楽器の演奏中に楽譜をめくる回数を減らし、より演奏に集中できるようになる。
【００１４】
また、例えばコンサート等の演奏会等で楽譜と進行表、異なる曲の楽譜を同時に並べる事ができ、従来の譜面台では得られなかった使い方ができる。
【００１５】
さらに、本発明の折り畳み譜面載置台は構造上、背面に突起物を有さないので、従来の譜面台等に据え置いて使用する他に鍵盤楽器（ピアノ、シンセサイザー等）の付設している譜面台に据え置く事ができ、演奏中、楽譜をめくる頻度が少なくなり、演奏に専念する事ができるので、極めて有用である。
【００１６】
しかも、この載置台と支持部材は折り畳み可能であるから、収納および携帯に便利であり、楽譜が２枚程度の曲を演奏する時には折り畳んで譜面台等の上に据え置き、楽譜をその上に並べる事ができる。
【００１７】
さらに、支持部材の左右の短軸の先端に差し込み片を設け、これに相対する二つの載置台Ｒ、Ｌの孔に挿通する機構により、本発明の折り畳み譜面載置台は３本ずつの左右対称に構成された支持部材で必要にして十分であり、極めて容易に組み立て及び収納ができるので便利である。
【００１８】
またさらに、左右対称に構成された支持部材は、二つの載置台Ｒ、Ｌとそれぞれの長軸の片側を支点とし回動し、左右の短軸の先端の差し込み片を載置台Ｒ、Ｌの孔に挿通する機構のため、左右の短軸の先端の差し込み片と載置台Ｒ、Ｌの孔に支持部材の重量がかかり、むやみに外れる事がない。
【００１９】
そして、本発明の折り畳み譜面載置台は、左右対称の支持部材とＬ字状の断面形状に形成された長尺からなる二つの載置台を設けた構造なので、譜面台等に据え置いた時に安定していれば、各々の部材を伸長して左右方向にいくらでも拡幅して製作できるもので、一脚の譜面台に据え置いて、より多くの楽譜を並べる事ができる。例えば、一台の本発明の折り畳み譜面載置台に異なるパートの楽譜を並べる事で、二人乃至、三、四人以上で合奏曲等を演奏できる事が可能となる。
【図面の簡単な説明】
【００２０】
【図１】本発明の正面図である。
【図２】本発明の使用状態を示す正面図である。
【図３】本発明の要部正面図である。
【図４】本発明の使用状態を示す要部正面図である。
【図５】本発明の折り畳み譜面載置台を畳んだ状態を示す正面図である。
【図６】従来の譜面台全体の斜視図である。
【図７】本発明の使用状態を示す斜視図である。
【図８】本発明の要部の分解斜視図である。
【図９】本発明の要部の分解斜視図である。
【図１０】本発明の要部の分解斜視図である。
【図１１】本発明の使用状態を示す要部斜視図である。
【図１２】本発明の使用状態を示す要部斜視図である。
【図１３】本発明の使用状態を示す要部正面図である。
【図１４】本発明の使用状態を示す要部正面図である。
【図１５】本発明の要部拡大斜視図である。
【図１６】本発明の要部拡大正面図である。
【図１７】本発明の要部拡大斜視図である。
【図１８】本発明の要部拡大正面図である。
【図１９】本発明の他の実施例を示す要部拡大斜視図である。
【図２０】本発明の他の実施例を示す要部拡大正面図である。
【発明を実施するための形態】
【００２１】
以下、本発明の実施の形態を説明する。
（イ）  楽譜等を載置するためにＬ字状の断面形状を有し、楽譜の下縁を支持する背面（１３ａ）、（１３ｂ）と底面（１４ａ）、（１４ｂ）に形成された長尺からなる二つの載置台Ｒ（１ａ）と載置台Ｌ（１ｂ）を直線上に並設する。
（ロ）  載置台Ｌ（１ｂ）に載置台Ｒ（１ａ）を折り畳むために、載置台Ｌ（１ｂ）の背面（１３ｂ）の右の端部に半円形状に形成された突出片（１１）を設ける。
（ハ）  後記支持部材を折り畳み、載置台Ｌ（１ｂ）に載置台Ｒ（１ａ）が折り畳まれた時、後記支点Ｂ（８ａ）の後記ワッシャーＡ（１６）と載置台Ｌ（１ｂ）の背面（１３ｂ）の干渉を回避するため、載置台Ｌ（１ｂ）の背面（１３ｂ）の右上部の端側に、湾曲に形成された切欠部（１２）を設ける。
（ニ）  載置台Ｒ（１ａ）の背面（１３ａ）の左の端側に穴Ｂ（２５ａ）を穿設する。
（ホ）  載置台Ｌ（１ｂ）の背面（１３ｂ）の右の端側に穴Ｂ（２５ｂ）を穿設する。
（ヘ）  載置台Ｒ（１ａ）の背面（１３ａ）の左の端側に穴（２４ａ）を穿設し、また載置台Ｌ（１ｂ）の背面（１３ｂ）の右の端側に穴（２４ｂ）を穿設し、リベットＡ（２０）で鋲着し、ここを支点Ａ（７）とし半回動可能に連結し、この二つの載置台を折り畳み可能とする。
（ト）  従来の譜面台に据え置き、かつ、楽譜等を載置するため、細長い板状の支持部材を設け、それぞれ左右対称に構成し、短軸（２ａ）と（２ｂ）、長軸（３ａ）と（３ｂ）、回動軸（４ａ）と（４ｂ）とする。
（チ）  前記短軸（２ａ）の片側端部に穴Ｇ（３０ａ）を穿設し、反対側の端部に任意に切り欠いた差し込み片（５ａ）を設ける。
（リ）  前記短軸（２ｂ）の片側端部に穴Ｇ（３０ｂ）を穿設し、反対側の端部に任意に切り欠いた差し込み片（５ｂ）を設ける。
（ヌ）  前記長軸（３ａ）の片側端部に穴Ｃ（２６ａ）を穿設し、反対側の端部に穴Ｆ（２９ａ）を穿設し、また、前記長軸（３ａ）の中心より前記穴Ｆ（２９ａ）側の端部寄りに、穴Ｄ（２７ａ）を穿設する。
（ル）  前記長軸（３ｂ）の片側端部に穴Ｃ（２６ｂ）を穿設し、反対側の端部に穴Ｆ（２９ｂ）を穿設し、また、前記長軸（３ｂ）の中心より前記穴Ｆ（２９ｂ）側の端部寄りに、穴Ｄ（２７ｂ）を穿設する。
（ヲ）  前記回動軸（４ａ）の中央より端側寄りに、穴Ｅ（２８ａ）を穿設する。
（ワ）  前記回動軸（４ｂ）の中央より端側寄りに、穴Ｅ（２８ｂ）を穿設する。
（カ）  前記穴Ｂ（２５ａ）と前記穴Ｃ（２６ａ）の間にワッシャーＡ（１６）を介して、リベットＢ（２１ａ）で鋲着し、ここを支点Ｂ（８ａ）とし、前記載置台Ｒ（１ａ）と前記長軸（３ａ）が回動可能に連結し、折り畳み可能とする。
（ヨ）  前記穴Ｂ（２５ｂ）と前記穴Ｃ（２６ｂ）の間にワッシャーＢ（１７）を介して、リベットＢ（２１ｂ）で鋲着し、ここを支点Ｂ（８ｂ）とし、前記載置台Ｌ（１ｂ）と前記長軸（３ｂ）が回動可能に連結し、折り畳み可能とする。
（タ）  前記穴Ｄ（２７ａ）と前記穴Ｅ（２８ａ）をリベットＣ（２２ａ）で鋲着し、ここを支点Ｃ（９ａ）とし、前記長軸（３ａ）と前記回動軸（４ａ）が回動可能に連結し、折り畳み可能とする。
（レ）  前記穴Ｄ（２７ｂ）と前記穴Ｅ（２８ｂ）をリベットＣ（２２ｂ）で鋲着し、ここを支点Ｃ（９ｂ）とし、前記長軸（３ｂ）と前記回動軸（４ｂ）が回動可能に連結し、折り畳み可能とする。
（ソ）  前記穴Ｆ（２９ａ）と前記穴Ｇ（３０ａ）の間にワッシャーＲ（１８）を介して、リベットＤ（２３ａ）で鋲着し、ここを支点Ｄ（１０ａ）とし、前記長軸（３ａ）と前記短軸（２ａ）が回動可能に自在する。
（ツ）  前記穴Ｆ（２９ｂ）と前記穴Ｇ（３０ｂ）の間にワッシャーＬ（１９）を介して、リベットＤ（２３ｂ）で鋲着し、ここを支点Ｄ（１０ｂ）とし、前記長軸（３ｂ）と前記短軸（２ｂ）が回動可能に自在する。
（ネ）  載置台Ｒ（１ａ）の背面（１３ａ）に近接した底面（１４ａ）の右の端側に前記差し込み片（５ａ）が貫通する孔（６ａ）を穿設する。
（ナ）  載置台Ｌ（１ｂ）の背面（１３ｂ）に近接した底面（１４ｂ）の左の端側に前記差し込み片（５ｂ）が貫通する孔（６ｂ）を穿設する。
本発明を使用するときは、図５のように折り畳んだ状態から、前記載置台Ｒ（１ａ）と載置台Ｌ（１ｂ）を前記支点Ａ（７）で回動させ直線上に水平となるまで開き、それぞれ前記鋲着して連結された左右対称の前記支持部材（２ａ）、（３ａ）、（４ａ）と（２ｂ）、（３ｂ）、（４ｂ）を所定の位置に回動可能に開き、それぞれ左右対称の前記短軸（２ａ）、（２ｂ）の先端部、前記差し込み片（５ａ）、（５ｂ）を前記孔（６ａ）、（６ｂ）に挿通し、従来の譜面台等に本発明の折り畳み譜面載置台を据え置き、多数枚の楽譜を横並びに載置して使用する。
なお、他の実施例として載置台Ｒ（１ａ）と載置台Ｌ（１ｂ）の二つの載置台が折り畳まれるように連結する方法として、図１９、図２０のように、載置台Ｒ（１ａ）の底面（１４ａ）の左の端側と載置台Ｌ（１ｂ）の底面（１４ｂ）の右の端側にそれぞれ穴を穿設し、連動蝶番（３１）を設けて、リベットＥ（３２）、リベットＦ（３３）、リベットＧ（３４）、リベットＨ（３５）で鋲着し、回動自在に連結してこの二つの載置台を折り畳まれるように構成してもよい。
【符号の説明】
【００２２】
１ａ    載置台Ｒ
１ｂ    載置台Ｌ
２ａ    短軸
２ｂ    短軸
３ａ    長軸
３ｂ    長軸
４ａ    回動軸
４ｂ    回動軸
５ａ    差し込み片
５ｂ    差し込み片
６ａ    孔
６ｂ    孔
７      支点Ａ
８ａ    支点Ｂ
８ｂ    支点Ｂ
９ａ    支点Ｃ
９ｂ    支点Ｃ
１０ａ  支点Ｄ
１０ｂ  支点Ｄ
１１    突出片
１２    切欠部
１３ａ  背面
１３ｂ  背面
１４ａ  底面
１４ｂ  底面
１５    譜面台
１６    ワッシャーＡ
１７    ワッシャーＢ
１８    ワッシャーＲ
１９    ワッシャーＬ
２０    リベットＡ
２１ａ  リベットＢ
２１ｂ  リベットＢ
２２ａ  リベットＣ
２２ｂ  リベットＣ
２３ａ  リベットＤ
２３ｂ  リベットＤ
２４ａ  穴Ａ
２４ｂ  穴Ａ
２５ａ  穴Ｂ
２５ｂ  穴Ｂ
２６ａ  穴Ｃ
２６ｂ  穴Ｃ
２７ａ  穴Ｄ
２７ｂ  穴Ｄ
２８ａ  穴Ｅ
２８ｂ  穴Ｅ
２９ａ  穴Ｆ
２９ｂ  穴Ｆ
３０ａ  穴Ｇ
３０ｂ  穴Ｇ
３１    連動蝶番
３２    リベットＥ
３３    リベットＦ
３４    リベットＧ
３５    リベットＨ
【図１】
2011128314.tif 000003
【図２】
2011128314.tif 000004
【図３】
2011128314.tif 000005
【図４】
2011128314.tif 000006
【図５】
2011128314.tif 000007
【図６】
2011128314.tif 000008
【図７】
2011128314.tif 000009
【図８】
2011128314.tif 000010
【図９】
2011128314.tif 000011
【図１０】
2011128314.tif 000012
【図１１】
2011128314.tif 000013
【図１２】
2011128314.tif 000014
【図１３】
2011128314.tif 000015
【図１４】
2011128314.tif 000016
【図１５】
2011128314.tif 000017
【図１６】
2011128314.tif 000018
【図１７】
2011128314.tif 000019
【図１８】
2011128314.tif 000020
【図１９】
2011128314.tif 000021
【図２０】
2011128314.tif 000022